(57)【要約】ユーザにより与えられた個人データと、装置により行われた測定とに基づいてユーザの身体的状態を評価するための装置が提供される。評価の結果及びそれに対応する健康関連情報がスクリーンに表示するように出力され及び／又はプリントされる。実施形態は、通常一連の広告や勧誘を示すタッチスクリーンを有するスタンドアローン構造又は着席ユニットのようなキオスクを備えている。ユーザがスクリーンにタッチすると、スクリーンは、年齢、身長、性別、及び一般的な身体状態のような個人情報を入力するようにユーザを促す。キオスクは、内蔵の測定装置でユーザの体重を測定し、１組の電極に手をのせるようにユーザに命令し、次いで、生体電気インピーダンス分析（ＢＩＡ）のような従来の体脂肪分析技術を使用する体脂肪組成測定を実行する。キオスクは、身体組成分析（即ち、体脂肪率）をスクリーンに出力し、そしてユーザの身体状態の評価を含む分析結果の詳細なレポート、並びにキオスクのプロセッサによりユーザの個人情報やテスト結果に基づいて選択された忠告及び特殊なオファー、例えば、製品クーポンをプリントする。又、ユーザは、種々の事項（例えば、フィットネス、栄養、減量等）及び商品（例えば、雑誌、ヘルスクラブ等）に関する情報を要求することもできる。
2004508845.tif 000002
【特許請求の範囲】
【請求項１】
ユーザの個人データを入力するための入力装置と、
ユーザの体脂肪を測定するための体脂肪分析器と、
ユーザへ情報を与えるための出力装置と、
ユーザの上記個人データ及び体脂肪測定値に基づいて情報を選択し、そしてその情報を出力装置へ供給するためのプロセッサとを備え、
上記情報は、コマーシャル情報及び健康に関する情報の少なくとも１つより成ることを特徴とする装置。
【発明の詳細な説明】
【０００１】
【技術分野】
本発明は、体脂肪分析器を備えたキオスクに係り、より詳細には、ユーザの体脂肪を測定しそしてその体脂肪測定値に基づいてユーザへ情報を返送するキオスクに係る。
【０００２】
【背景技術】
内臓脂肪量、皮下−内臓脂肪比及び他のフィットネス（健康度）指数を健康管理に対する指標として与える装置は、良く知られている。通常は、１組の電極に接触する２つ以上の四肢にまたがってインピーダンス値を測定し、そしてそのインピーダンス値と、既に入力された個人データとを使用して、脂肪量及び脂肪比を計算する。このような装置は、ハンドヘルド型及びポータブルであるか、或いは固定装置の一部分であり、例えば、手足用の電極ユニットを使用するものである。
【０００３】
個人の身体的フィットネスを評価する装置も良く知られている。例えば、ある従来の装置は、コンピュータキーボードを介して個人から個人データを得、そして心拍数、血圧、トレッドミルエネルギー消費、自転車エネルギー消費、強度フィットネス（例えば、手の強度又は等尺測定）、柔軟性フィットネス及び身体組成（体脂肪及び／又は体重測定）の少なくとも１つに基づいて個人の心血管フィットネスを測定する。全体的なフィットネス指数を計算し、そしてコンピュータディスプレイスクリーン又はプリンタに出力する。
【０００４】
上述した従来の装置は、健康管理の専門家にとって有用な生のフィットネス統計情報を与えるが、評価されている個人に直接的に有益な追従情報、例えば、ライフスタイル、健康又はコマーシャル製品情報を与えるものではない。それ故、平均的な個人に対する有用性が限定される。
従って、ユーザの身体的フィットネスを評価し、そしてユーザのフィットネス統計情報に基づいて健康に関連した有用な情報を与えるための使い易い装置が要望される。
【０００５】
【発明の開示】
本発明の効果は、ユーザの個人情報を入力した後にユーザの体脂肪を測定し、そしてユーザのフィットネス評価を、ライフスタイル、健康及び製品推薦と共に出力するための使い易い装置にある。
本発明の更に別の効果及び他の特徴は、その一部分は、以下の説明に記載し、そしてその一部分は、以下の説明から当業者に明らかであろうし、又、本発明の実施から学習することができよう。本発明の効果は、特許請求の範囲に特に指摘されたように実現されそして得ることができる。
【０００６】
本発明によれば、上記及び他の効果は、ユーザの個人データを入力するための入力装置と、ユーザの体脂肪を測定するための体脂肪分析器と、ユーザへ情報を与えるための出力装置と、ユーザの上記個人データ及び体脂肪測定値に基づいて情報を選択し、そしてその情報を出力装置へ供給するためのプロセッサとを備えた装置によって達成される。出力される情報は、コマーシャル情報及び健康に関する情報の少なくとも１つより成る。
【０００７】
本発明の付加的な効果は、本発明を実施するように意図された最良の態様を単に例示する本発明の好ましい実施形態の以下の詳細な説明から当業者に容易に明らかであろう。又、本発明は、他の異なる実施も可能であり、そして本発明から逸脱せずに種々の明らかな観点において多数の細部を修正できることが明らかであろう。従って、添付図面及び以下の説明は、本発明を例示するものに過ぎず、これに何ら限定されるものではない。
【０００８】
【発明を実施するための最良の形態】
多数の図面にわたり同じ部分が同じ参照番号で示された添付図面を参照して、本発明を以下に詳細に説明する。
個人のフィットネスを評価する従来の装置は、個人のフィットネスの評価結果に対応するライフスタイル、健康及び製品推薦のような有用な情報を与えるものではない。本発明は、従来のフィットネス測定装置のこの問題に対処し、これを解消するものである。
【０００９】
本発明は、ユーザにより与えられた個人データと、装置により行われた測定とに基づいてユーザの身体的状態を評価する。評価の結果と、それに対応する健康関連情報は、スクリーンに表示するように出力され及び／又はプリントされる。本発明は、スタンドアローン構造又は着席ユニットのような「キオスク」で実施することができる。ユーザは、キオスクに立つか又は座り（その設計に基づき）そしてタッチスクリーンに対面し、タッチスクリーンは、通常、一連の広告及び勧誘を表示する。ユーザがスクリーンにタッチすると、スクリーンは、年齢、身長、性別及び一般的身体状態のような個人情報を入力するようにユーザを促す。次いで、キオスクは、内蔵の測定装置でユーザの体重を測定し、そしてスクリーンの下か又はどこかに設けられた１組の電極上に手をのせるようにユーザに命令する。次いで、キオスクは、生体電気インピーダンス分析（ＢＩＡ）のような従来の体脂肪分析技術を使用する体脂肪組成測定を実行する。
【００１０】
キオスクは、身体組成分析（即ち体脂肪率）をスクリーンに出力する。次いで、キオスクは、名前及び電話番号を入力するようにユーザを促し、そしてユーザの身体状態の評価を含む分析結果の詳細なレポート、並びにキオスクのプロセッサによりユーザの個人情報やテスト結果に基づいて選択された忠告及び特殊なオファー、例えば、製品クーポンをプリントする。又、ユーザは、種々の事項（例えば、フィットネス、栄養、減量等）及び商品（例えば、雑誌、ヘルスクラブ等）に関する情報を要求することもできる。
【００１１】
図１Ａ−１Ｄは、本発明の種々の実施形態に基づくキオスクの形態の装置を示す。図１Ａに示されたスタンドアローン型キオスク１０１は、タッチスクリーンによりデータを入力したり情報を表示したりするモニタ１０２と、体脂肪測定を行うためにユーザが握る電極１０３と、ユーザの体重を測定するための体重計１０４とを備えている。図１Ｂに示されたカウンタ型キオスク１１１は、タッチスクリーンによりデータを入力したり情報を表示したりするモニタ１１２と、体脂肪測定を行うためにユーザが握る電極１１３と、ユーザの体重を測定するための体重計１１４とを備えている。図１Ｃに示されたインライン型キオスク１２１は、タッチスクリーンによりデータを入力したり情報を表示したりするモニタ１２２と、体脂肪測定を行うためにユーザが握る電極１２３と、ユーザの体重を測定するための体重計１２４とを備えている。図１Ｄに示された着席型キオスク１３１は、タッチスクリーンによりデータを入力したり情報を表示したりするモニタ１３２と、体脂肪測定を行うためにユーザが握る電極１３３と、ユーザの体重を測定するための体重計１３４とを備えている。
【００１２】
図２は、本発明による装置２００のブロック図である。キーボード又はタッチスクリーンのようなユーザの個人データを入力するための入力装置２１０は、ここに述べる動作を好ましくは電子的に実行するコンピュータのようなプロセッサ２３０と通信する。例えば、ユーザの指に接触するための１組の電極２２０も、ユーザの体重を測定するための従来の電子秤のような体重計２８０と共に、プロセッサ２３０に接続される。プロセッサ２３０は、従来のやり方でユーザの体脂肪（例えば、体脂肪率、体脂肪比等）を測定するための回路を含む。当業者に明らかなように、本発明を実施するのに使用できる１つの良く知られた体脂肪測定技術は、ユーザがその皮膚を介して電極２２０のような１組の電極に接触し、ユーザに電流を流し、その結果として得られるインピーダンスを測定し、そしてそのインピーダンスに基づいてユーザの体脂肪を計算するというものである。
【００１３】
装置２００は、更に、ユーザに情報を与えるためにプロセッサ２３０に接続されたモニタ２４０及びプリンタ２５０も備えている。モニタ２４０は、入力装置２１０がタッチスクリーンである場合には、入力装置２１０と結合することができる。プロセッサ２３０により選択された表示又はプリントされるべきデータを記憶すると共に、ユーザの個人情報を記憶するために、メモリ２６０が設けられる。又、プロセッサ２３０は、例えば、インターネット２７０を経て外部ネットワークに接続される。
【００１４】
図３は、本発明の実施形態の概要を示すフローチャートである。ユーザは、図１Ａないし１Ｄに示すキオスクのような本発明のキオスクに近づくと、モニタ２４０のようなモニタに「買物客サイクル」と称される一連の広告及び勧誘が提示される（ステップ３１０）。１つのこのようなスクリーンが図６Ａに示されている。ステップ３１５において、ユーザがスクリーンにタッチしない場合には、「買物客サイクル」が続く。しかしながら、ユーザが、促されて（図６Ａを参照）スクリーンにタッチすると、図６Ｂに示すような別のスクリーンが現れて、「テストサイクル」（ステップ３２０）を開始するようにユーザを促し、ここでは、ユーザの健康、認識及び身体組成（体脂肪分析を行うことを含む）に関する情報が収集される。ステップ３２５において、テストが完了しない場合には、ステップ３３０において、テストを完了できるかどうか決定される。もしそうでなければ、テストが中止され、「買物客サイクル」が再開される。
【００１５】
テストが完了すると、プロセッサ２３０内の「推薦モジュール」が、ユーザにより入力された情報と、ユーザの体脂肪分析とを利用して、メモリ２６０に記憶されているライフスタイル、健康及び製品推薦を選択する（ステップ３３５）。又、プロセッサ２３０は、入力されたユーザ情報及び体脂肪分析に基づいてユーザに提示すべき広告を選択するための「広告ターゲット決めモジュール」３４０も有する。ステップ３４５において、「結果サイクル」が開始され、ここでは、忠告が、個人データをモニタ２３０から外すという選択肢と共に、見る者に提示される。フィットネスターゲット、ライフスタイル変更、並びに有用な製品及びサービスがリストされ、そして広告やオファーが表示される。体脂肪分析結果スクリーンの一例が図６Ｃに示され、そして忠告の一例が文献形態で図６Ｄに示されている。
【００１６】
ステップ３５０では、ユーザは、更に情報を要求する選択肢を有する。ユーザが更に情報を望む場合には、ステップ３５５において「要求サイクル」が開始され、ここでは、製品等に関する詳細な情報がユーザに与えられる。ユーザが付加的な情報にアクセスできるようにするスクリーンが図６Ｅに示されている。ユーザが更に情報を要求するかどうかに関わらず、ステップ３６０において、ユーザは、それらのテスト結果及び／又は他の情報をプリントするように選択することができる。結果は、例えば、メモリ２６０を含む中央サーバーに記憶され、これは、インターネット及びキオスクを経てアクセスすることができる（ステップ３６５）。
【００１７】
図４Ａないし４Ｄ及び図５は、本発明の実施形態を詳細に示すフローチャートである。図３及び４Ａを参照すれば、ステップ４０１及び４０２は、ステップ３１０及び３１５の「買物客サイクル」に対応する。ユーザが、ステップ４０２において促されたときにスクリーンにタッチすると、ステップ４０３においてモニタ２４０に「ウェルカムスクリーン」が現れ、ステップ４０４において、立ち去るか、私的情報を得るか（ステップ４０５）、キオスクで行われるべき分析に関する情報を得るか（ステップ４０６）、又はテストを開始する（ステップ４０７）という選択肢をユーザに与える。次いで、ユーザは、ステップ４０８ないし４１１において性別、年齢、身長及び体型を各々入力し、そしてステップ４１２においてデータを確認するように促される。ユーザは、いつでもセッションを終了することができる（ステップ４１３）。
【００１８】
ステップ４１４では、ユーザの体重が体重計２８０により計測され、そしてステップ４１５では、ユーザが指を電極２２０にのせるように命令される。その結果得られる抵抗値が測定され、そしてユーザの体脂肪率、及び他の良く知られたフィットネス統計情報、例えば、基礎代謝率（ＢＭＲ）が従来のやり方で計算される。
図４Ｂを参照すれば、ステップ４１６及び４１７において、ユーザが望む場合にはユーザの名前及び電話番号が入力される。ステップ４１８においてユーザの従来の私的な問題が対処され、そしてステップ４１９において他の健康上の質問がユーザに与えられる。
【００１９】
ステップ４２０では、ユーザは、テスト結果を表示するか又は結果をプリントだけする選択肢を有する。ユーザが結果の表示を選択する場合には、プロセッサ２３０の「推薦及び広告ターゲット決めモジュール」（ステップ３３５及び３４０を参照して上述した）が、ユーザの性別、年齢、体型及び体脂肪結果に基づいて、モニタ２４０に表示するための所定の１組のページを選択する（ステップ４２１）。プロセッサ２３０の「推薦モジュール」及び「広告ターゲット決めモジュール」は、図５に詳細に示されている。
【００２０】
ステップ４２２では、「体脂肪率結果ページ」が表示され、これは、図６Ｃに示された体脂肪分析結果の記述と、推薦される製品及びプログラムのリストと、多数の広告とを含む。ステップ４２３において、ユーザは、「結果ページ」をステップ４２４でプリントするように選択することができ、ここでは、選択された項目がプリントデータベースに追加される。ユーザが、ステップ４２３において「次へ」を選択すると、「ＢＭＲ結果ページ」が表示され、これは、プロセッサ２３０により実行されたＢＭＲ計算の結果と、推薦される製品及びプログラムのリストと、多数の広告とを含む。ステップ４２６において、ユーザは、「ＢＭＲ結果ページ」をステップ４２７でプリントするよう選択することができ、ここでは、選択された項目がプリントデータベースに追加される。ユーザがステップ４２６において「次へ」を選択すると、「運動／ダイエットページ」が表示され、これは、運動及びダイエット分析結果の記述と、推薦される製品及びプログラムのリストと、多数の広告とを含む。ステップ４２９において、ユーザは、「運動／ダイエットページ」をステップ４３０でプリントするように選択することができ、ここでは、選択された項目がプリントデータベースに追加される。
【００２１】
ユーザが、ステップ４２０において、テスト結果をプリントだけするよう選択した場合には、プロセッサ２３０が、図４Ｃに示すようにステップ４２１ａないし４３０ａを実行する。ステップ４２１ａないし４３０ａは、ステップ４２１ないし４３０に各々対応し、そしてユーザのテスト結果がステップ４２１ａ、４２２ａおよび４２５ａにおいて表示されないこと以外は、ステップ４２１ないし４３０と同じである。
【００２２】
ユーザがステップ４２９又は４２９ａにおいて「次へ」を選択すると、「プリントサイクル」がステップ４３１において始まり（図４ｄ）、ここでは、プリントデータベースの全文書がプリントされる。文書がプリントされる間に、特殊なオファー、クーポン等の広告がモニタ２４０に表示され（ステップ４３２）、そしてユーザは、ステップ４３３においてスクリーンにタッチすることによりいずれかのオファーをプリントする選択肢を有する。選択された項目は、プリントデータベースに追加されそしてプリントされる（ステップ４３４）。プリントがステップ４３５において完了すると、「買物客サイクル」（ステップ４０１、４０２）が再開する。
【００２３】
本発明は、従来の材料、方法及び装置を使用することにより実施できる。従って、このような材料、装置及び方法は、ここでは、詳細に述べない。以上の説明において、本発明を完全に理解するために、特定の材料、構造、化学物質、プロセス等、多数の特定の詳細を述べた。しかしながら、本発明は、これら上述した細部に関わりなく実施できることが明らかである。他の例では、本発明を不必要に不鮮明にしないために、既知の処理構造については詳しく説明しない。
ここでは、本発明の好ましい実施形態及びその多様性の幾つかの例だけを図示して説明した。本発明は、他の種々の組み合わせ及び環境において使用することもでき、そして本発明の概念の範囲内で変更及び修正がなされ得ることを理解されたい。
【図面の簡単な説明】
【図１Ａ】
本発明の実施形態によるキオスクを示す図である。
【図１Ｂ】
本発明の実施形態によるキオスクを示す図である。
【図１Ｃ】
本発明の実施形態によるキオスクを示す図である。
【図１Ｄ】
本発明の実施形態によるキオスクを示す図である。
【図２】
本発明の実施形態による装置のブロック図である。
【図３】
本発明の実施形態を示すフローチャートである。
【図４Ａ】
本発明の実施形態を示すフローチャートである。
【図４Ｂ】
本発明の実施形態を示すフローチャートである。
【図４Ｃ】
本発明の実施形態を示すフローチャートである。
【図４Ｄ】
本発明の実施形態を示すフローチャートである。
【図５】
本発明による推奨モジュール及び広告ターゲット決めモジュールを示す図である。
【図６Ａ】
本発明の実施形態により表示されるスクリーンの例を示す図である。
【図６Ｂ】
本発明の実施形態により表示されるスクリーンの例を示す図である。
【図６Ｃ】
本発明の実施形態により表示されるスクリーンの例を示す図である。
【図６Ｄ】
本発明の実施形態により表示されるスクリーンの例を示す図である。
【図６Ｅ】
本発明の実施形態により表示されるスクリーンの例を示す図である。
【図１Ａ】
2004508845.tif 000003
【図１Ｂ】
2004508845.tif 000004
【図１Ｃ】
2004508845.tif 000005
【図１Ｄ】
2004508845.tif 000006
【図２】
2004508845.tif 000007
【図３】
2004508845.tif 000008
【図４Ａ】
2004508845.tif 000009
【図４Ｂ】
2004508845.tif 000010
【図４Ｃ】
2004508845.tif 000011
【図４Ｄ】
2004508845.tif 000012
【図５】
2004508845.tif 000013
【図６Ａ】
2004508845.tif 000014
【図６Ｂ】
2004508845.tif 000015
【図６Ｃ】
2004508845.tif 000016
【図６Ｄ】
2004508845.tif 000017
【図６Ｅ】
2004508845.tif 000018
【国際公開パンフレット】
2004508845.tif 000019
2004508845.tif 000020
2004508845.tif 000021
2004508845.tif 000022
2004508845.tif 000023
2004508845.tif 000024
2004508845.tif 000025
2004508845.tif 000026
2004508845.tif 000027
2004508845.tif 000028
2004508845.tif 000029
2004508845.tif 000030
2004508845.tif 000031
2004508845.tif 000032
2004508845.tif 000033
2004508845.tif 000034
2004508845.tif 000035
2004508845.tif 000036
2004508845.tif 000037
2004508845.tif 000038
2004508845.tif 000039
2004508845.tif 000040
2004508845.tif 000041
2004508845.tif 000042
2004508845.tif 000043